(57)【要約】片面が粘着面（３）となっているシート状の貼付体（１）を体に貼り付けるための器具（１０）において，貼付体を通す通過口（１１）を備え，前記通過口の正面側下方を，貼付体の非粘着面を当てる当て部（１２）とし，前記通過口の背面側上方を，貼付体の粘着面の端部を貼り付けて保持する保持部（１３）とした。さらに，前記当て部を，正面側に向かって凸状に湾曲若しくは折曲させて形成した。構造が簡素であるため，低コストで製造することができ，販売価格を安くすることができる。また，貼り付け器具（１０）全体がコンパクトであり，不使用時に大きな収納スペースを必要としない。従って，貼付薬を常用しない人にも気軽に入手してもらいやすい。【特許請求の範囲】
【請求項１】
片面が粘着面となっているシート状の貼付体を体に貼り付けるための器具であって，
貼付体を通す通過口を備え，
前記通過口の正面側下方を，貼付体の非粘着面を当てる当て部とし，
前記通過口の背面側上方を，貼付体の粘着面の端部を貼り付けて保持する保持部としたことを特徴とする，貼付体貼り付け器具。
【請求項２】
前記当て部を，正面側に向かって凸状に湾曲若しくは折曲させて形成したことを特徴とする，請求項１に記載の貼付体貼り付け器具。
【請求項３】
前記貼付体は貼付薬であることを特徴とする，請求項１に記載の貼付体貼り付け器具。
【発明の詳細な説明】
【技術分野】
【０００１】  本発明は，例えば湿布等の貼付体を患部に貼り付けるための器具に関する。
【背景技術】
【０００２】  患部の痛みや炎症等の対症療法として，湿布等の貼付薬が広く利用されている。かかる貼付薬は，シート状の支持材の片面に経皮鎮痛消炎剤を含有した粘着剤の層が積層された構成となっており，この粘着剤層を保護するための剥離フィルムが，粘着剤層の表面に貼着されている。貼付薬を使用する際は，手指によって剥離フィルムを剥離した後，粘着剤層を皮膚に貼り付けるようになっている。【０００３】  貼付薬を皮膚に貼り付ける際は，粘着剤同士が接着しないように注意しながら，皮膚に慎重に接近させなければならないので，貼付薬の取り扱いに慣れていない人は，貼り付けに時間がかかったり，失敗したりすることが多い。例えば，剥離フィルムを剥離した後，粘着剤同士を接着させてしまい，あるいは粘着剤層に異物を付着させてしまい，粘着剤層の粘着力が弱まったり薬の効果自体が薄れてしまったりする失敗がある。また，所望の位置からずれたところに貼り付けてしまったり，使用前に貼付薬を冷却しておいても貼り付けたときには温くなっていたりすることがある。貼付薬を貼り易くするため，剥離フィルムの中央部に切れ目を形成したものもあるが，背中や腰等に貼り付けようとする場合は，自分で貼ることは極めて困難であり，他人の手を借りなければならない面倒がある。【０００４】  従来，貼付薬を背中等にも自分で貼れるようにするための種々の器具が提案されている。例えば，柄を取り付けた板状の部材に貼付薬を載せ，クリップで貼付薬を保持し，柄に取り付けたボタンによってクリップを操作して貼り付けるようにした器具が提案されている（例えば，特許文献１参照）。また，柄を取り付けたホルダーに複数のローラーを備え，ホルダーによって貼付薬を保持し，ローラーを回転させながら貼り付ける器具が提案されている（例えば，特許文献２参照）。さらに，２個のローラー間に貼付薬を挟んで保持し，剥離フィルムを剥がしながら貼り付けることができる器具が提案されている（例えば，特許文献３参照）。
［特許文献１］特開２００３−２３０６３３号公報
［特許文献２］特開２００２−３６９８４３号公報
［特許文献３］特開２００３−７０９１６号公報【０００５】  しかしながら，従来の貼り付け器具は構造が複雑であり，部品点数が多く，製造コストと販売価格が高くなる難点がある。また，器具全体が大きく，不使用時には相当の収納スペースが必要とされる。そのため，特に貼付薬を常用する必要が無い多くの人が，購入に抵抗を感じる懸念がある。
【発明の開示】
【発明が解決しようとする課題】
【０００６】  本発明の目的は，湿布等の貼付薬を，背中等の手が届き難い部位にも自分で簡単に貼り付けることができるようにする貼り付け器具を提供することにある。さらに，低コストで製造することができ，コンパクトな貼り付け器具を提供することにある。
【課題を解決するための手段】
【０００７】  上記課題を解決するために，本発明によれば，片面が粘着面となっているシート状の貼付体を体に貼り付けるための器具であって，貼付体を通す通過口を備え，前記通過口の正面側下方を，貼付体の非粘着面を当てる当て部とし，前記通過口の背面側上方を，貼付体の粘着面の端部を貼り付けて保持する保持部としたことを特徴とする，貼付体貼り付け器具が提供される。ここで，貼付体とは，例えば湿布等の貼付薬，絆創膏等である。かかる貼付体貼り付け器具にあっては，構造が簡素であるため，低コストで製造することができ，販売価格を安くすることができる。また，貼り付け器具全体がコンパクトであり，不使用時に大きな収納スペースを必要としない。従って，貼付薬を常用しない人にも気軽に入手してもらいやすい。【０００８】  さらに，前記当て部を，正面側に向かって凸状に湾曲若しくは折曲させて形成することが好ましい。この場合，粘着剤層を広げた状態で保持でき，互いに接着することを防止できる。また，貼付薬を皮膚に押し当てやすい。前記貼付体は貼付薬であっても良い。
【発明の効果】
【０００９】  本発明によれば，背中等の手が届き難い部位にも，貼付薬を自分で簡単に貼り付けることができる。また，本発明の貼付体貼り付け器具は構造が簡素であり，低コストで製造することができ，販売価格を安くすることができる。さらに，簡素でコンパクトな構成であるため，不使用時に小さなスペースに収納でき，邪魔にならず，貼付薬を常用しない人も気軽に入手しやすい。
【図面の簡単な説明】
【００１０】［図１］貼付薬の斜視図である。
［図２］貼付薬の断面図である。
［図３］本実施の形態にかかる貼り付け器具の正面図である。
［図４］本実施の形態にかかる貼り付け器具の背面図である。
［図５］本実施の形態にかかる貼り付け器具の左側面図である。
［図６］本実施の形態にかかる貼り付け器具の右側面図である。
［図７］本実施の形態にかかる貼り付け器具の平面図である。
［図８］本実施の形態にかかる貼り付け器具の底面図である。
［図９］貼り付け器具の通過口に貼付薬を通過させ，貼付薬から剥離フィルムを半分剥がす様子を示す説明図である。
［図１０］貼付薬から剥離フィルムを半分剥がして，貼り付け器具に保持させた状態を示す斜視図である。
［図１１］貼付薬を貼り付け器具に保持させ，貼付薬から剥離フィルムを全部剥がした状態を示す斜視図である。
［図１２］貼付薬を背中に貼る様子を示す説明図である。
［図１３］通過口の形状を変更した貼り付け器具の正面図である。
［図１４］別の実施の形態にかかる貼り付け器具の斜視図である。
［図１５］別の実施の形態にかかる貼り付け器具の正面図である。
［図１６］別の実施の形態にかかる貼り付け器具の背面図である。
［図１７］別の実施の形態にかかる貼り付け器具の左側面図である。
［図１８］別の実施の形態にかかる貼り付け器具の右側面図である。
［図１９］別の実施の形態にかかる貼り付け器具の平面図である。
［図２０］別の実施の形態にかかる貼り付け器具の底面図である。
［図２１］図１５に示す貼り付け器具のＡ−Ａ線による縦断面図である。
［図２２］貼り付け器具の通過口に貼付薬を通過させ，貼付薬から剥離フィルムを半分剥がした状態を示す縦断面図である。
［図２３］貼付薬を貼り付け器具に保持させ，貼付薬から剥離フィルムを全部剥がした状態を示す縦断面図である。
【符号の説明】
【００１１】  １    貼付薬
２    支持体
３    粘着面
５    剥離フィルム
１０  貼り付け器具
１１  通過口
１２  当て部
１３  保持部
１５  被粘着部材
【発明を実施するための最良の形態】
【００１２】  以下，本発明の好ましい実施の形態を説明する。図１に示すように，貼付体としての貼付薬１は，略長方形状をなすシート状の支持材２の片面に粘着面３が形成された湿布薬である。図２に示すように，支持材２の片面には，経皮鎮痛消炎剤を含有した粘着剤層４が積層されており，この粘着剤層４の表面が粘着面３となっている。粘着面３には，粘着剤層４を保護するための剥離フィルム５が貼着されている。図１に示すように，剥離フィルム５の中央部には，剥離フィルム５を２枚に分割する切れ目部６が形成されている。支持材２は，関節等に貼っても動作を妨げないような伸縮性のある布状体によって形成されている。【００１３】  図３〜図８に示すように，本実施の形態にかかる貼り付け器具１０は，上下の短辺１０ａ，１０ａと左右の長辺１０ｂ，１０ｂを有する略長方形の板状部材からなり，貼付薬１を貼り付け器具１０の正面側から背面側に通す通過口１１が設けられている。通過口１１は，細長い略長方形のスリット状の形状をなし，左右の長辺１０ｂ，１０ｂに囲まれた内側の位置に，貼り付け器具１０の中心部よりも上方に開口している。図示の例では，上部の短辺１０ａに近い位置に，短辺１０ａと略平行に設けられている。図３に示すように，貼り付け器具１０の正面側において，通過口１１の下方の面は，貼付薬１の非粘着面である支持材２の表面を当てる当て部１２となっている。また，図４に示すように，貼り付け器具１０の背面側において，通過口１１の上方は，剥離フィルム５を剥離した粘着面３の端部を貼り付けて保持する保持部１３となっている。【００１４】  貼り付け器具１０の材質としては，例えば合成樹脂等が使用される。また，貼り付け器具１０は，透光性のある材質で形成することが好ましい。この場合，貼付薬１を貼り付け器具１０に保持させるときや，貼付薬１を患部に貼り付けるときに，貼付薬１の状態を確認しやすい。従って，接着剤層３同士が接着したりして貼付薬１が絡んだり，皺が寄ったりする失敗を防止できる。【００１５】  図５及び図６に示すように，貼り付け器具１０は側方から見て略Ｗ字状に若干湾曲した形状をしている。通過口１１の下方の縁から貼り付け器具１０の中央部は，貼り付け器具１０の中央部に向かうほど正面側に向かって傾斜し，貼り付け器具１０の中央部から下縁部は，ほぼ平坦となっている。即ち，当て部１２は，正面側に向かって凸状に折曲させた曲面となっている。また，通過口１１の上方の縁から上方に向かうほど正面側に向かって傾斜し，通過口１１の上方の縁と貼り付け器具１０の上縁との中間部から，貼り付け器具１０の上縁までは，上方に向かうほど背面側に向かって傾斜するように形成されている。【００１６】  図４に示すように，保持部１３の表面には，被粘着部材１５が積層されている。粘着面３の端部は，被粘着部材１５の表面に貼り付けるようになっている。この被粘着部材１５の表面は，粘着面３を粘着させて保持することができ，かつ，貼付薬１を軽い力で引っ張ることで粘着面３を損傷したり汚したりすることなく簡単に外せるような材質で形成されている。被粘着部材１５の材質は，例えば，コルク，フェルト等が好ましい。【００１７】  なお，貼り付け器具１０の製造方法の一例を説明すると，プラスチックの長方形の薄い平板に通過口１１を切り取って形成し，加熱して略Ｗ字状に湾曲させ，被粘着部材１５を保持部１３に貼り付けて完成する。このように，貼り付け器具１０は簡単に短時間で製造でき，大量生産が可能である。また，貼り付け器具１０の材料はプラスチックの平板１枚と被粘着部材１５のみであり，部品点数が少ない。従って，低コストで製造することができ，販売価格を安くすることができる。貼り付け器具１０の大きさは，貼付薬１より一回り大きく貼付薬１を載せることができる程度であれば良く，コンパクトであり，不使用時に大きな収納スペースを必要としない。このように，貼り付け器具１０は安価でコンパクトであるため，貼付薬を常用しない人にも気軽に購入してもらうことができる。【００１８】  次に，以上のように構成された貼り付け器具１０を用いて貼付薬１を患部に貼り付ける方法について説明する。先ず，貼り付け器具１０の通過口１１に，貼付薬１を通過させ，一端を貼り付け器具１０の正面側に，他端を貼り付け器具１０の背面側に出す。このとき，貼付薬１は，当て部１２側に支持材２を向け，保持部１３側に剥離フィルム５を向けた状態で通過させる。そして，図９に示すように，背面側に出した貼付薬１の粘着面３から，切れ目部６に沿って剥離フィルム５の半分を剥がし，図１０に示すように，保持部１３の被粘着部材１５に粘着面３の端部を貼り付ける。正面側においては，支持材２を当て部１２に当てて支持する。こうして，貼り付け器具１０によって貼付薬１を保持する。このように，貼付薬１の保持は極めて簡単に行うことができる。【００１９】  なお，貼り付け器具１０に貼付薬１を保持させる際は，当て部１２を上面にして貼り付け器具１０を持ち，貼付薬１の当て部１２に載せた部分の表面（剥離フィルム５の表面）と，貼り付け器具１０の背面とを，片手の指で挟んで押さえるように持ち，他方の手指によって，貼付薬１の通過口１１の背面側に出した部分から剥離フィルム５を静かに剥がし，貼付薬１の端部が広がった状態で下に垂れるようにし，垂らした貼付薬１の端部を支持材２側に指を当てて持ち上げ，保持部１３の被粘着部材１５に粘着面３を貼るようにすると良い。このようにすると，粘着面３同士が接着して絡み合ったり，皺が寄ったりすることを防止できる。特に，支持材２が伸縮性に富んだ材質であると，絡み合ったり皺が寄ったりする失敗が起こりやすいが，そのような失敗を効果的に防止できる。また，粘着面３に指を接触させないようにすれば，粘着力が弱まることを防止できる。【００２０】  貼り付け器具１０に貼付薬１を保持させたら，次に，図１１に示すように，貼付薬１の当て部１２側の粘着面３から剥離フィルム５の半分を剥がして，貼付薬１の粘着面３から総ての剥離フィルム５を剥がす。このとき，手指が粘着面３に触れないように，貼り付け器具１０を片手で背面側から持ち，他方の手指によって剥離フィルム５を静かに剥がすことが好ましい。このようにすると，貼付薬１が絡んだり，皺が寄ったりすることを防止できる。また，粘着面３に指が接触して粘着力が弱まることを防止できる。【００２１】  こうして，粘着面３を露出させた状態で貼付薬１を保持したら，次���，貼付薬１及び貼り付け器具１０を，患部に正面側を向けた状態で近接させ，正面側に広げた粘着面３を患部の皮膚に粘着させる。このとき，貼り付け器具１０は通過口１１側を上にして，貼付薬１を当て部１２に沿って広げた状態を維持して皮膚に近接させると，粘着面３同士が接着して絡み合ったり，皺が寄ったりすることを防止できる。粘着面３を患部に粘着させたら，当て部１２を皮膚に向かって押し当てながら，貼り付け器具１０を皮膚に沿って滑らせるように移動させる。すると，貼付薬１の皮膚に押し当てられた部分に引っ張られて，保持部１３の被粘着部材１５から粘着面３の端部が外れ，通過口１１を通過して，当て部１２と皮膚の間に挟まれて，当て部１２の曲面によって皮膚に確実に押し当てられる。こうして，貼付薬１全体が皮膚に貼り付けられる。このように，貼付薬１の貼り付けを極めて簡単に行うことができる。【００２２】  例えば，貼付薬１を背中等に貼る場合は，図１２に示すように，貼り付け器具１０を片手で持ち，腕を背中側に曲げて，通過口１１側を上にして貼付薬１を背中に当て，貼り付け器具１０を背中に沿って上昇させるようにすれば良い。貼り付け器具１０は背面側に指を当てて持つようにすれば，手指が貼付薬１に接触せず，粘着力が弱まることを防止できる。なお，患部の場所によって貼り付け器具１０の持ち方を適宜変えれば，腕を無理に曲げることなく，簡単に貼ることができる。例えば，図１２に示すように貼り付け器具１０の下部を持つほか，貼り付け器具１０の左側又は右側を持つようにしても良い。【００２３】  かかる貼り付け器具１０によれば，貼付薬１が絡んだり皺が寄ったりすることを防止して，貼付薬１を簡単に確実に貼り付けることができる。背中等の手が届き難い部位にも，貼付薬１を自分で簡単に貼り付けることができる。また，本発明の貼り付け器具１０は構造が簡素であり，製造コストと販売価格を安くすることができる。さらに，不使用時に小さなスペースに収納でき，邪魔にならず，貼付薬１を常用しない人も気軽に入手しやすい。また，コンパクトであるため，貼付薬１を商品として販売する際に，貼付薬１の付録や景品等として，貼り付け器具１０を貼付薬１の包装箱内に入れたり，配布したりすることもでき，便利で顧客に喜ばれる。【００２４】  以上，本発明の好適な実施の形態の一例を示したが，本発明はここで説明した形態に限定されない。例えば，貼付体は，実施の形態に示した湿布の貼付薬１の他，種々の外用剤の貼付薬や，絆創膏等であっても良い。本実施の形態では，剥離フィルム５に一本の切れ目部６が形成されているものとしたが，剥離フィルム５に切れ目部６が形成されていないものであっても良く，また，剥離フィルム５の複数箇所に切れ目部６が形成されているものであっても良い。【００２５】  貼り付け器具１０の材質は合成樹脂に限定されず，種々の材質を使用可能である。また，本実施の形態では，貼り付け器具１０の製造方法の一例として，通過口１１を切り取り，加熱して当て部１２を湾曲させる方法を説明したが，製造方法はかかるものに限定されない。例えば，貼り付け器具１０の型を制作し，型によって樹脂を射出成形するようにしても良い。この場合も，貼り付け器具１０を簡��に短時間で製造でき，大量生産が可能であり，販売価格を安くすることができる。【００２６】  本実施の形態では，貼り付け器具１０は正面側から見たとき略長方形の板状であることとしたが，かかる形状に限定されず，例えば，正方形，その他の多角形，楕円形等であっても良い。また，本実施の形態では，貼り付け器具１０は側方から見たとき略Ｗ字状の湾曲を有することとしたが，かかる形状に限定されず，例えば，平板状であっても良い。また，貼り付け器具１０を貼付薬１の包装箱内に付録として入れる場合は，貼り付け器具１０の形状を平板に近くすれば，さらにコンパクトになり，包装箱内で邪魔にならない。【００２７】  本実施の形態では，通過口１１は略長方形としたが，かかる形状に限定されない。また，通過口１１は左右の長辺１０ｂ，１０ｂに囲まれた内側の位置に開口させることとしたが，かかる形態に限定されない。例えば，図１３に示すように，通過口１１の正面側から見て右側となる端部は，正面側から見て右側の長辺１０ｂを２分割するように開口させ，通過口１１の正面側から見て左側となる端部は，左側の長辺１０ｂよりも内側に開口させるようにして，通過口１１の下方と上方が左側の長辺１０ｂと通過口１１の左側の端部との間を介して一体的に繋がるように形成しても良い。【００２８】  本実施の形態では，貼り付け器具１０に貼付薬１を保持させる方法の一例として，通過口１１に貼付薬１を通過させた後，背面側の部分から剥離フィルム５の半分を剥がし，保持部１３に粘着面３の端部を貼り付けて保持する方法を説明したが，貼り付け器具１０に貼付薬１を保持させる方法は，かかるものに限定されない。例えば，剥離フィルム５の一部又は全部を剥がした後に貼付薬１を通過口１１に通過させ，保持部１３に粘着面３の端部を貼り付けて保持するようにしても良い。【００２９】  次に，本発明の別の実施の形態を説明する。図１４〜図２０に示す貼り付け器具２０は，合成樹脂製の柔軟性のある薄板を略半円柱形状に成形したものであり，図２１に示すように，貼り付け器具２０の内部は空洞になっている。貼り付け器具２０の外面は，正面側が円柱面２０ａになっており，背面側は平面２０ｂになっている。図１４に示すように，円柱面２０ａにおいて，円柱面２０ａと平面２０ｂとの間の辺２０ｃに近い位置に，スリット状の通過口１１が辺２０ｃと平行な向きに設けられている。また，通過口１１の正面側（外側）下方において，通過口１１の下縁から円柱面２０ａの中間部は，当て部１２となっている。即ち，当て部１２は，正面側に向かって凸状に湾曲させた曲面となっている。【００３０】  図１６に示すように，平面２０ｂの上部は，辺２０ｃに沿って切断されており，さらに，辺２０ｃに沿って切断した箇所の左右両側において，辺２０ｃと垂直な向きに切断されており，長方形の舌状部２１が形成されている。この舌状部２１は，下部で折り曲げられて貼り付け器具２０の内側の空洞内に倒されており，舌状部２１の上辺は円柱面２０ａに形成された通過口１１の下方に位置している。舌状部２１が切断された部分には，舌状部２１の大きさの開口２２が開口している。図２１に示すように，通過口１１の背面側（空洞側）上方において，円柱面２０���の裏側が保持部１３となっており，被粘着部材１５が貼り付けられている。【００３１】  なお，通過口１１の下縁と舌状部２１の上辺の間に隙間を設けず，当て部１２から平面２０ｂに連続する面を形成しても良い。例えば，開口２２から舌状部２１を完全に切り外して開口させ，通過口１１の下縁と開口２２の下縁とに接続する板状部材を備え，当て部１２，板状部材，平面２０ｂを連続させるように形成しても良い。【００３２】  貼り付け器具２０に貼付薬１を保持させる際は，先ず，通過口１１に貼付薬１を通過させ，当て部１２と舌状部２１に載せるようにして保持し，図２２に示すように，舌状部２１に載せた側の貼付薬１の粘着面３から剥離フィルム５の半分を剥がす。このようにすると，貼付薬１の舌状部２１に載せた部分が広がった状態で保持され，絡んだり皺が寄ったりすることを防止できる。次に，図２３に示すように，貼付薬１の剥離フィルム５を剥がした部分を持ち上げて，保持部１３の被粘着部材１５に粘着面３の端部を貼り付けて，貼付薬１の当て部１２側の部分から剥離フィルム５の半分を剥がす。【００３３】  こうして，粘着面３を露出させた状態で貼付薬１を保持したら，次に，貼付薬１及び貼り付け器具２０を，患部に正面側を向けた状態で近接させ，正面側に広げた粘着面３を患部の皮膚に粘着させる。このとき，貼り付け器具２０は通過口１１側を上にして，貼付薬１を当て部１２に沿って広げた状態を維持して皮膚に近接させると，粘着面３同士が接着して絡み合ったり，皺が寄ったりすることを防止できる。粘着面３を患部に粘着させたら，当て部１２を皮膚に向かって押し当てながら，貼り付け器具２０を皮膚に沿って滑らせるように移動させる。すると，貼付薬１の皮膚に押し当てられた部分に引っ張られて，保持部１３の被粘着部材１５から粘着面３の端部が外れ，通過口１１を通過して，当て部１２と皮膚の間に挟まれて，当て部１２の曲面によって皮膚に確実に押し当てられる。こうして，貼付薬１全体が皮膚に貼り付けられる。【００３４】  このように，かかる貼り付け器具２０によっても，貼付薬１が絡んだり皺が寄ったりすることを防止して，貼付薬１を簡単に確実に貼り付けることができる。背中等の手が届き難い部位にも，貼付薬１を自分で簡単に貼り付けることができる。また，貼り付け器具２０は構造が簡素であり，製造コストと販売価格を安くすることができる。さらに，不使用時に小さなスペースに収納でき，邪魔にならず，貼付薬１を常用しない人も気軽に入手しやすい。また，コンパクトであるため，貼付薬１を商品として販売する際に，貼付薬１の付録や景品等として配布したりしても良い。
【図１】
2005046784.tif 000002
【図２】
2005046784.tif 000003
【図３】
2005046784.tif 000004
【図４】
2005046784.tif 000005
【図５】
2005046784.tif 000006
【図６】
2005046784.tif 000007
【図７】
2005046784.tif 000008
【図８】
2005046784.tif 000009
【図９】
2005046784.tif 000010
【図１０】
2005046784.tif 000011
【図１１】
2005046784.tif 000012
【図１２】
2005046784.tif 000013
【図１３】
2005046784.tif 000014
【図１４】
2005046784.tif 000015
【図１５】
2005046784.tif 000016
【図１６】
2005046784.tif 000017
【図１７】
2005046784.tif 000018
【図１８】
2005046784.tif 000019
【図１９】
2005046784.tif 000020
【図２０】
2005046784.tif 000021
【図２１】
2005046784.tif 000022
【図２２】
2005046784.tif 000023
【図２３】
2005046784.tif 000024
【国際調査報告】
2005046784.tif 000025
2005046784.tif 000026